【事件の表示】
　平成　５年特許願第２５８７６２号「定着装置の温度制御方法」拒絶査定不服審判事件〔平成　７年　５月　２日出願公開、特開平　７−１１４２８１〕について、次のとおり審決する。
【結　論】
　本件審判の請求は、成り立たない。
【理　由】
１．手続の経緯・本願発明
　本願は、平成５年１０月１５日に出願された特許出願であって、原審において、平成１４年９月２７日付で拒絶理由が通知され、これに対し、同年１１月２６日に手続補正がなされたところ、平成１５年９月２６日付で拒絶査定がなされ、これに対し、同年１０月３１日に拒絶査定に対する審判請求がなされるとともに手続補正がなされたものであって、その請求項に係る発明は、上記手続補正がなされた明細書及び図面の記載からみて、特許請求の範囲の請求項１乃至５に記載されたものと認められるところ、請求項２に係る発明（以下、「本願発明」という。）は次のものである。
　
「【請求項２】  記録材を加熱する加熱手段と、該加熱手段に圧接されて定着ニップ部を形成する加圧手段と、前記加熱手段の温度を検出する温度検出手段と、前記温度検出手段の検出温度に基づいて前記加熱手段の温度を制御する温度制御手段を備えた定着装置において、前記温度制御手段は、前記記録材の一枚の定着動作の前半より後半の方の定着温度が高くなるように前記前半中途より目標制御温度を一定値だけ付加することを特徴とする定着装置の温度制御方法。」
　
２．引用例
　原査定の拒絶の理由に引用された、本願の出願前の他の出願であって、その出願後に出願公開された特願平４−２５０６７５号（特開平６−７５５０４号公報参照）の願書に最初に添付した明細書及び図面（以下、「先願明細書」という。）には、次の事項が記載されている。
　
（ａ）「【請求項１】  ヒータにより加熱される定着ローラと、この定着ローラに圧接したバックアップローラと、を備え、未定着のトナーが付着したペーパを定着ローラとバックアップローラとに挟持させながら搬送することによりトナーをペーパに熱定着させる定着装置において、
ペーパの搬送方向前半部が定着ローラとバックアップローラとに挟持されている場合におけるヒータの総発熱量に比べて、ペーパの搬送方向後半部が定着ローラとバックアップローラとに挟持されている場合におけるヒータの総発熱量が大きくなるよう、ヒータの発熱を制御する制御手段を有することを特徴とする定着装置。
【請求項２】  上記制御手段は、定着ローラの温度が所定の制御目標温度となるようヒータの発熱を帰還制御可能であり、ペーパの搬送方向前半部が定着ローラとバックアップローラとに挟持されている場合における上記制御目標温度に比べて、ペーパの搬送方向後半部が定着ローラとバックアップローラとに挟持されている場合における上記制御目標温度を高く設定することを特徴とする請求項１記載の定着装置。」（特許請求の範囲）
　
（ｂ）「【０００１】
【産業上の利用分野】本発明は定着装置、詳しくは電子写真プロセスを用いた複写機、レーザビームプリンタ等に使用される加熱式の定着装置に関する。」
　
（ｃ）「【０００２】
【従来の技術】電子写真プロセスを用いた複写機、レーザビームプリンタ等においては、トナーをペーパに定着させる定着装置が使用されている。この定着装置は、内部にヒータを有する定着ローラと、この定着ローラに対向するバックアップローラと、を有して構成されている。定着ローラはヒータの熱を受けて、所定の温度（約１５０℃）まで上昇し、バックアップローラは定着ローラにより加熱される。このように構成された定着装置の温度変化を図１４を参照しながら説明する。
【０００３】この図において、１４０１は定着ローラ表面の温度変化を表し、１４０２はバックアップローラ表面の温度変化を表している。レーザビームプリンタ等のプリント動作が開始し、ヒータに電流を流すと定着ローラは約１５０℃に上昇し（ｔ１）、バックアップローラの温度もまた、定着ローラの熱を受けて上昇する。搬送されてきたペーパの先端が両ローラ間に達した時点（ｔ２）においては、バックアップローラの表面温度は約１００℃にまで上昇している。そして、ペーパ上のトナーは定着ローラとバックアップローラとから熱を受けることにより溶解し、ペーパ上に定着する。ところが、両ローラの間をペーパが通過することにより（ｔ１〜ｔ２）、バックアップローラに貯えられていた熱量はペーパおよびトナーに奪われ、バックアップローラの表面温度は低下する。ペーパの後端が両ローラから離れると（ｔ２）、バックアップローラは定着ローラによって加熱され、バックアップローラの表面温度は再度上昇する（ｔ３〜ｔ４）。
【０００４】このようにして、定着の行われたトナーの定着強度を図１５に示す。この図は、ペーパの搬送方向の各部におけるトナーの定着強度を表している。上述したように、ペーパの（搬送方向）前半部は十分に加熱され、そして、ペーパの繊維中に浸透する。このため、ペーパの前半部におけるトナーの定着強度（図中１５０１）は良好である。ところが、ペーパの後半部においては、バックアップローラの熱が奪われることにより、その温度が低下するため、この部分のトナーは十分に熱溶解しない。このため、ペーパ後半部におけるトナーの定着強度（図中１５０２）は不十分なものとなり、トナーがペーパから剥離しやすくなるという問題（定着不良）が生じていた。かかる問題は、径が小さいがゆえに熱容量もまた小さいバックアップローラを有する定着装置において顕著に生ずるものである。
【０００５】ところで、定着ローラの温度をさらに上昇させることにより、ペーパパ後半部におけるトナー定着不良を解消することはできるが、ペーパ前半部におけるトナーが過熱状態になることによる高温オフセット等の問題が新たに生ずる。
【０００６】すなわち、従来の定着装置にあっては、ペーパの前半部が定着ローラとバックアップローラから受ける熱量の総和と、ペーパの後半部が定着ローラとバックアップローラとから受ける熱量の総和と、は異なっていた。このため、ペーパの前半部および後半部の全体にわたって良好な定着を行うことが困難であった。」
　
（ｄ）「【０００７】
【発明の目的】そこで、本発明は、定着装置において、ペーパの前半部および後半部の全体にわたって良好な定着を行うことを目的としている。」
　
（ｅ）「【００１１】
【作用】請求項１に記載の発明に係る定着装置において、ヒータを有する定着ローラは所定温度に加熱されている。バックアップローラもまた、この定着ローラの熱を受け、その温度が上昇している。ペーパの搬送方向前半部が定着ローラとバックアップローラとに挟持されながら搬送されると、ペーパ上のトナーは両ローラの熱により溶解し、そして、ペーパに定着する。バックアップローラに蓄積された熱はペーパ等に奪われるため、バックアップローラの温度は次第に低下する。
【００１２】ところが、制御手段は、ペーパの搬送方向後半部が定着ローラとバックアップローラとの間に達する際には、ヒータの発熱量を増加させる。すなわち、ペーパの搬送方向前半部が定着ローラとバックアップローラとに挟持されている場合におけるヒータの総発熱量に比べて、ペーパの搬送方向後半部が単位面積あたりに受けるにおけるヒータの総発熱量が大きくなるよう、制御手段はヒータの発熱を制御する。
【００１３】したがって、ペーパの搬送方向前半部が定着ローラおよびバックアップローラから受ける熱量の総和と、ペーパの搬送方向後半部が定着ローラおよびバックアップローラから受ける熱量の総和とは略等しくなる。よって、ペーパ上の各トナーは均一な温度で熱溶解するため、ペーパの搬送方向前半部と搬送方向後半部の全体にわたって良好な定着が行われるものである。
【００１４】請求項２に記載の発明に係る定着装置において、ペーパの搬送方向後半部が定着ローラとバックアップローラとに挟持されている場合における定着ローラの制御目標温度は、ペーパの搬送方向前半部がこれらのローラに挟持されている場合における制御目標温度に比べて高く設定される。このため、ペーパの搬送方向後半部が定着ローラとバックアップローラとの間に達する際には、ヒータの発熱量は増加する。したがって、本請求項２記載の発明に係る定着装置によっても請求項１記載の発明に係る定着装置における効果と同様の効果を得ることが可能となるものである。」
　
（ｆ）「【００２０】この定着装置１５０は、内部にハロゲンランプよりなるヒータを備えた定着ローラ１５１と、ペーパを定着ローラ１５１に圧接するバックアップローラ１５２とを有して構成されている。・・・・
【００２１】この制御回路２０を図２にブロック図として示す。この図において、データバスに接続されたＣＰＵ２１はプログラムＲＯＭに書き込まれた動作手順に従い所定の処理を実行するものである。そして、このＣＰＵ２１には、サーミスタ２３の出力信号がＡ／Ｄ変換器２５を介して入力されている。サーミスタ２３は、定着ローラ１５１の近傍に配設され、定着ローラ１５１の表面温度を検出するものである。サーミスタ２３から出力された信号はＡ／Ｄ変換器２５によりディジタル信号に変換され、そして、このディジタル信号がＣＰＵ２１に入力されるものである。
【００２２】ＣＰＵ２１は、このディジタル信号に基づき、ヒータ駆動回路２２に二値の信号を与える。すると、サイリスタ等よりなるヒータ駆動回路２２はスイッチング動作を行い、ヒータ１５３をオンまたはオフするものである。すなわち、ヒータ１５３は二値制御される。また、ＣＰＵ２１にはペーパセンサ２４からの信号が入力されている。このペーパセンサ２４は定着装置１５０近傍のペーパ搬送経路に配設されており、ペーパの先端部が定着装置１５０に搬送されたことを検出するものである。
【００２３】なお、ヒータ１５３に与える電圧をアナログ的に変化させることによりヒータ１５３の発熱を制御（連続値制御）してもよい。さらに、ヒータ駆動回路２２をインバータ回路を用いて構成することにより、ヒータ１５３に印加するパルスのデューティ比を連続的に変化してもよい。
【００２４】このように構成された定着装置の動作を説明する前に、先ず、ペーパの各部の名称を図３を用いて説明する。この図において、３０はペーパを表し、矢印は搬送方向（ペーパが定着装置に搬送される方向）を表している。そして、ペーパ３０を搬送方向に対して４つに区画し、それぞれを、ペーパ前端部、ペーパ前半部、ペーパ後半部、ペーパ後端部、と定義する。なお、ペーパ前半部とペーパ後半部との境界線はペーパの略中央である。また、ペーパ前端部、ペーパ後端部は、トナー像が形成されることの少ない領域であり、例えば、ペーパの端部から約２ｃｍほどの範囲である。」
　
（ｇ）「【００２５】続いて、本発明の第１実施例に係る定着装置の動作を説明する。
【００２６】図４は、本定着装置の動作を表すメインフローチャートである。先ず、オペレータ等がレーザビームプリンタの電源を投入すると（ステップＳ４０１）、上記制御回路２０のＣＰＵ２１は内部レジスタ等の値を初期化する（ステップＳ４０２）。同時に、当該メインフローチャートの実行周期を決定するメインルーチンタイマのカウント動作を開始する。そして、ＣＰＵ２１はバスを介してオペレーションパネル等からのデータを入力するとともに、サーミスタ２３からの信号を入力する（ステップＳ４０３）。この後、制御手段２０は、作像カートリッジ１３０、光学ユニット１４０等の動作を制御する（ステップＳ４０４）。
【００２７】ステップＳ４０５においては、定着ローラ１５１表面の制御目標温度を後述するサブルーチンに従い設定する。そして、定着ローラ１５１の表面温度がこの制御目標温度と一致するよう、ヒータ１５３を制御する（ステップＳ４０６）。この後、ＣＰＵ２１はバスおよびＩ／Ｏポート等を介して所定の入出力動作を行い（ステップＳ４０７、Ｓ４０８）。さらに、上記メインルーチンタイマが所定値に達している場合（ステップＳ４０９でＹＥＳ）には、上記ステップＳ４０３に戻り、当該メインフローチャートを繰り返し実行する。
【００２８】図５は、上記ステップＳ４０６の温度制御のサブルーチンを示している。ステップＳ５０１において、サーミスタ２３によって検出された定着ローラ１５１の表面温度が、ステップＳ４０５により設定された制御目標温度以上であるか否かを判断する。定着ローラ１５１の表面温度が制御目標温度以上である場合（ステップＳ５０１でＹＥＳ）には、ヒータ２３をオフする（ステップＳ５０３）。一方、定着ローラ１５１の表面温度が制御目標温度よりも低い場合には、ヒータ２３をオンする（ステップＳ５０２）。このようにして、定着ローラ１５１表面の温度が制御目標温度と一致するものである。
【００２９】図６、図７に、上記ステップＳ４０５の制御目標温度設定処理のサブルーチンを示す。このサブルーチンにおいて使用される変数等を先ず説明する。ステータスＰＳＳＴはペーパと定着装置１５０との位置関係等によってその値が変化するものであり、このステータスＰＳＳＴの値（０〜７）によって制御目標温度の値が設定される。また、タイマＴ1、Ｔ2、Ｔ3、Ｔ4、Ｔ5は、ステータスＰＳＳＴの値等によってインクリメントされる変数である。そして、Ｘ、Ｘ1、Ｘ2は定着ローラ１５１表面の制御目標温度を表す定数であり、例えば、Ｘ＝１５０℃、Ｘ1＝１４５℃、Ｘ2＝１５５℃に設定される。続いて、このサブルーチンを説明する。
【００３０】先ず、制御手段２０はステータスＰＳＳＴの値によって、いずれの処理を実行するかを判断する（ステップＳ６０１）。このサブルーチンが最初に実行される場合には、ステータスＰＳＳＴの値は”０”（初期値）のままである。よって、ステップＳ６０２以降の処理が実行される。すなわち、ステップＳ６０２において、プリント動作が開始されたか否かを判断し、未だプリント動作が開始していなければステータスＰＳＳＴを”０”設定する（ステップＳ６０４）。一方、プリント動作が開始している場合にはステータスＰＳＳＴを”１”に設定する（ステップＳ６０３）。
【００３１】そして、制御目標温度を通常の定着温度であるＸ（１５０℃）に設定し（ステップＳ６０５）、図４に示されるメインフローチャートに戻る。メインフローチャートにおいては、定着ローラ１５１の表面温度が制御目標温度Ｘ（１５０℃）に一致するよう、ヒータ１５３が制御される（図４のステップＳ４０６）。したがって、プリント動作が開始すると、定着ローラ１５１の表面温度は１５０℃に調整され、この定着ローラ１５１に当接するバックアップローラ１５２の温度もまた上昇する。
【００３２】次にメインフローチャートからこのサブルーチンにジャンプした際には、ステータスＰＳＳＴの値は既に”１”に設定されている。したがって、ステップＳ６１０以降の処理が実行される。先ず、ＣＰＵ２１は、ペーパセンサ２４がオンであるか否か、すなわち作像カートリッジ１３０から排出されたペーパの先端が定着装置１５０近傍のペーパセンサ２４に達したか否かを判断する（ステップＳ６１０）。・・・・
【００３３】一方、ステップＳ６１０において、ペーパがペーパセンサ２４に達することによりペーパセンサ２４がオンになった場合には、タイマＴ1のカウント動作を開始する（ステップＳ６１２）。さらに、ステータスＰＳＳＴの値を”２”に設定し（ステップＳ６１３）、メインフローチャートに戻る。このときの状態を、図８のに示す。図８は、ペーパ、ペーパセンサ２４、定着ローラ１５１等のそれぞれの位置関係を示している。図８のに示されるように、定着ローラ１５１の手前に位置するペーパセンサ２４にペーパの先端が達することにより、ペーパセンサ２４がオンするものである。
【００３４】次に、このサブルーチンが実行される際には、ステータスＰＳＳＴの値は”２”に設定されているため、ステップＳ６２０が実行される。ステップＳ６２０においては、既にカウント動作を開始しているタイマＴ1が所定値に達したか否か、すなわち、ペーパの先端がペーパセンサ２４を通過した後、定着ローラ１５１の近傍に達したか否かを判断する。・・・・
【００３５】一方、ペーパの先端が定着ローラ１５１に達したため、ステップＳ６２０において、タイマＴ1のカウント動作が終了した場合には、制御目標温度をＸ1（１４５℃）に設定する（ステップＳ６２２）。すなわち、制御目標温度を１５０℃から１４５℃に下げる。そして、タイマＴ2のカウント動作を開始し（ステップＳ６２３）、ステータスＰＳＳＴの値を”３”に設定した後（ステップＳ６２４）、メインフローチャートに戻る。メインフローチャートにおいては、定着ローラ１５１の表面温度が制御目標温度（１４５℃）に一致するよう、ヒータの制御が行われる（図４のステップＳ４０６）。なお、このときのペーパの位置を図８のに示す。このように、ペーパの先端が定着ローラ１５１の手前に達した際には、定着ローラ１５１の表面温度が下げられるものである。
【００３６】次に、このサブルーチンが実行される際には、ステータスＰＳＳＴの値は”３”に設定されているため、ステップＳ６３０が実行される。ステップＳ６３０においては、既にカウント動作を開始しているタイマＴ2が所定値に達したか否か、すなわち、（図３において定義した）ペーパの前端部が定着ローラ１５１を通過したか否かを判断する。判断の結果、ＮＯである場合には、さらにタイマＴ2をインクリメントした後（ステップＳ６３１）、メインフローチャートに戻る。このようにして、ペーパの前端部においては、通常の定着温度Ｘよりも低い定着温度Ｘ1（１４５℃）によって定着が行われる。ペーパの前端部に与える熱量を少なくすることにより、ペーパ前端部におけるカールを低減できるものである。
【００３７】一方、ペーパの前端部が定着ローラ１５１を通過したため、ステップＳ６３０において、タイマＴ2のカウント動作が終了した場合には、制御目標温度をＸ（１５０℃）に設定する（ステップＳ６３２）。すなわち、制御目標温度を１４５℃から１５０℃に戻す。そして、タイマＴ3のカウント動作を開始し（ステップＳ６３３）、ステータスＰＳＳＴの値を”４”に設定した後（ステップＳ６３４）、メインフローチャートに戻る。メインフローチャートにおいては、定着ローラ１５１の表面温度が制御目標温度（１５０℃）に一致するよう、ヒータの制御が行われる（図４のステップＳ４０６）。すなわち、ペーパの前端部が定着ローラ１５１を通過した後、（図３において定義した）ペーパの前半部が定着ローラ１５１を通過するまでの間は、定着ローラ１５１の表面温度が１５０℃に調整される。なお、このときのペーパの位置を図８のに示す。
【００３８】続いて、このサブルーチンが実行される際には、ステータスＰＳＳＴの値は”４”に設定されているため、ステップＳ６４０が実行される。ステップＳ６４０においては、既にカウント動作を開始しているタイマＴ3が所定値に達したか否か、すなわち、ペーパの前半部が定着ローラ１５１を通過したか否かを判断する。ペーパの前半部が、定着ローラ１５１を通過し終わっていない場合（ステップＳ６４０でＮＯ）には、さらにタイマＴ3をインクリメントした後（ステップＳ６４１）、メインフローチャートに戻る。このようにして、ペーパの前半部においては、通常の定着温度Ｘ（１５０℃）によって定着が行われる。
【００３９】一方、ペーパの前半部が定着ローラ１５１を通過し終わり、ペーパの中央部が定着ローラ１５１に達する際には、タイマＴ3のカウント動作が終了する。よって、ステップＳ６４０の判断結果がＹＥＳとなり、制御目標温度がＸ2（１５５℃）に設定される（ステップＳ６４２）。すなわち、制御目標温度を１５０℃から１５５℃に上昇させる。そして、ステータスＰＳＳＴの値を”５”に設定した後（ステップＳ６４３）、メインフローチャートに戻る。すると、定着ローラ１５１の表面温度が制御目標温度（１５５℃）に一致するよう、ヒータの制御が行われる（図４のステップＳ４０６）。このときのペーパの位置を図８のに示す。
【００４０】このようにして、ペーパの後半部が定着ローラ１５１を通過する間は、定着ローラ１５１の温度は上昇する。そして、バックアップローラ１５２もまた、定着ローラ１５１の熱を受け、その温度が上昇する。したがって、バックアップローラ１５２の熱がペーパおよびトナーにより奪われることによる、バックアップローラ１５２の温度低下を抑えることが可能となる。このため、ペーパの前半部が受ける熱の総量と、後半部が受ける熱の総量を同等となり、ペーパの前半部と後半部の全体にわたって良好な定着が行われるものである。
・・・・
【００４８】このようにして、ペーパと定着ローラ１５１との位置関係によって、制御目標温度が設定される。そして、メインフローチャートのテップＳ４０７において、定着ローラ１５１の表面温度が、この制御目標温度と一致するように、制御されるものである。
【００４９】図１２は、本実施例に係る定着装置における、定着ローラ１５１、バックアップローラ１５２のそれぞれの表面温度の変化を表したグラフである。
【００５０】この図において、１２０１は定着ローラ１５１の表面温度を表し、１２０２はバックアップローラ１５２の表面温度を表している。これらの温度変化をレーザビームプリンタの動作に従い説明する。
【００５１】先ず、レーザビームプリンタ等のプリント動作が開始し、ヒータに電流を流すと定着ローラ１５１は約１５０℃に上昇する（ｔ１）。バックアップローラ１５２の温度もまた、定着ローラ１５１の熱を受けて上昇する。搬送されてきたペーパの先端が定着ローラ１５１の手前に達すると、定着ローラ１５１の表面温度は１４５℃に低下する（ｔ２）。ペーパの先端が定着ローラ１５１に達し（ｔ３）、定着ローラ１５１の前端部が定着ローラ１５１を通過する（ｔ４）まで、定着ローラ１５１の表面温度は１４５℃に下げられる。よって、ペーパの前端部が受ける熱量は低減されることから、この部分の水分が過度に蒸発することがなくなる。したがって、ペーパ前端部に於けるカールを低減できるものである。
【００５２】続いて、ペーパの前半部が定着ローラ１５１を通過している間（ｔ４〜ｔ５）には、定着ローラ１５１の温度は通常の定着温度（１５０℃）に調整される。ところが、ペーパの後半部が定着ローラ１５１を通過している間（ｔ５〜ｔ６）には、定着ローラ１５１の表面温度は１５５℃に高められる。バックアップローラ１５２もまた、定着ローラ１５１の熱を受けて、その温度が上昇するため、ペーパおよびトナーに熱を奪われることによるバックアップローラの温度低下は抑えられる。したがって、ペーパの前半部が定着ローラ１５１およびバックアップローラ１５２から受ける熱量の総和と、ペーパの後半部が定着ローラ１５１およびバックアップローラ１５２から受ける熱量の総和とは略等しくなる。このため、ペーパの前半部および後半部の全体にわたってトナーは均一の定着強度で定着する。・・・・
【００５４】図１３は、本実施例に係る定着装置によって定着後のペーパにおけるカールおよびその定着強度を表す図である。」
　
（ｈ）第２実施例についての「なお書き」として、
「【００８３】なお、ヒータ１５３を制御するに際して、いわゆるフィードバック制御を用いることなく、予め定められたデータに基づく電力をヒータ１５３に印加するフィードフォワード制御を用いてもよい。また、定着ローラ１５３の熱の伝達時間等を考慮して、ヒータ１５３をオン／オフするタイミングを適宜変更してもよい。すなわち、定着ローラ１５１の熱容量が大きいために、熱の伝導時間が長くなる場合には、ヒータ１５３をオン／オフするタイミングを早めることにより、制御時間の遅れを低減できるものである。」
　
（ｉ）「【００８４】
【発明の効果】以上説明してきたように、本発明によれば、ペーパの搬送方向前半部が定着ローラおよびバックアップローラから受ける熱量の総和と、ペーパの搬送方向後半部が定着ローラおよびバックアップローラから受ける熱量の総和とは略等しくなる。よって、ペーパの搬送方向前半部と搬送方向後半部の全体にわたって良好な定着が行われるものである。」
　
　また先願明細書の請求項１には「未定着のトナーが付着したペーパを定着ローラとバックアップローラとに挟持させながら搬送することによりトナーをペーパに熱定着させる」と記載されていることから、先願明細書に記載された定着装置は、定着ローラとバックアップローラとにより定着ニップ部を形成していることは明らかであり、またこれら摘記した記載事項から、先願明細書に記載された発明は「定着装置の温度制御方法」であることもまた明らかであるから、この記載事項によると、先願明細書には、
　
「ペーパを加熱する定着ローラと、該定着ローラに圧接されて定着ニップ部を形成するバックアップローラと、前記定着ローラの表面温度を検出するサーミスタと、前記サーミスタの検出温度に基づいて前記定着ローラの温度を制御する制御回路２０を備えた定着装置において、前記制御回路２０は、前記ペーパの前半部よりも前記ペーパの後半部の定着温度が高くなるように前記ペーパの中央部より目標制御温度を一定値だけ付加する定着装置の温度制御方法。」
　
が記載されていると認めることができる（以下、「先願明細書記載発明」という。）。
　
３．対比
　そこで、本願発明と先願明細書記載発明とを対比すると、先願明細書記載発明の「ペーパ」「定着ローラ」「バックアップローラ」「定着ローラの表面温度」「制御回路２０」は、本願発明の「記録材」「加熱手段」「加圧手段」「加熱手段の温度」「温度制御手段」にそれぞれ相当し、また先願明細書記載発明の「ペーパの前半部よりもペーパの後半部の定着温度が高くなるように」は、本願発明の「記録材の一枚の定着動作の前半より後半の方の定着温度が高くなるように」に相当することもまた明らかであるから、両者は、
　
【一致点】：「 記録材を加熱する加熱手段と、該加熱手段に圧接されて定着ニップ部を形成する加圧手段と、前記加熱手段の温度を検出する温度検出手段と、前記温度検出手段の検出温度に基づいて前記加熱手段の温度を制御する温度制御手段を備えた定着装置において、前記温度制御手段は、前記記録材の一枚の定着動作の前半より後半の方の定着温度が高くなるように記録材の一枚の定着動作の途中より目標制御温度を一定値だけ付加する定着装置の温度制御方法」
で一致し、以下の点で相違する。
【相違点】：本願発明が記録材の一枚の定着動作の前半中途より目標制御温度を一定値だけ付加するのに対して、先願明細書記載発明は記録材の一枚の定着動作の後半より目標制御温度を一定値だけ付加する点で一応相違する。
　
４．判断
　上記相違点について検討する。
　まず本願明細書には、温度制御に関して次のように記載されている。
「【００２３】　以下補正方法について説明する。想定している記録材５の中で最も熱容量が大きいものと、最も小さいものを定着したときの加圧ローラー２の温度低下を測定する。一方、図５に示した良好定着領域の下限を示すラインの傾きから、加圧ローラー２の温度の低下分の加熱ローラー１の温度の必要上昇分が求められるので、測定した加圧ローラー２の温度低下をそれに換算して加熱ローラー１の目標制御温度Ｔ*を変化させてやれば良い。ただし、実際はそれほど厳密に制御する必要はなく数段階に変化させればよい。本実施例では、図８に示すように記録紙サイズの３分の１の通紙が終了した時点から加熱ローラー１の温度を３℃上昇させている。通常１℃から５℃程度上昇させるのが適切である。」
　この記載よれば、記録材の通紙による加圧ローラの温度低下を補償するための温度の付加時期や回数は「それほど厳密に制御」する必要はなく、本願発明は、いわば単純化した制御として、「記録材の一枚の定着動作の前半中途より目標制御温度を一定値だけ付加する」ものであり、またこの単純化に格別の技術的意義を有するものとは認められない。
　他方で、先願明細書記載発明も段落番号【００８３】において、通紙により加圧ローラの温度が低下することの補償を適宜のタイミングで行うことを記載しているように、本質的に適宜のタイミングを設定すべきものである。
　そして、両者は記録材の通紙による加圧ローラの温度低下を補償するために記録材の一枚の定着動作の中途で目標制御温度を高く設定する点で、解決しようとする課題及び解決手段が一致するところ、両者は目標制御温度を高く設定するタイミングが異なるが、これは、通紙する記録材の紙質や定着装置の特性等に応じて変化するであろう加圧ローラの温度低下特性を補うように、適宜目標制御温度を高く設定するタイミング及び何段階で目標制御温度を高く設定するかを設計すべき設計的事項にあたるもので、両者の相違は単なる設計上の微差にすぎないものである。
　
　そして、本願発明の有する効果は、先願明細書記載発明の有する効果と、格別の差異は認められない。
　
　したがって、両者は同一発明である。
　
５．むすび
　以上のとおり、本願発明は、先願明細書に記載された発明と同一であり、しかも、本願発明の発明者が上記先願明細書に記載された発明の発明者と同一であるとも、また、本願の出願時に、その出願人が上記他の出願の出願人と同一であるとも認められないので、本願発明は、特許法第２９条の２の規定により特許を受けることができない。
　そして、請求項２に係る発明が特許を受けることができないものである以上、本願の請求項１、３、４及び５に係る発明について検討するまでもなく、この特許出願は拒絶すべきものである。
　よって、結論のとおり審決する。